(57)【要約】【課題】ＬＡＮに接続する機能を介して、外出時にネットワークから番組の記録予約を行うことができる記録装置の予約時間と実際に予約が設定される時間とのタイムラグの発生防止および省電力化を図る。【解決手段】予約待機モードの場合のシステムマイコン２５は、モード切換スイッチ１８のスイッチＳＷ２をオンし、メインマイコン２４とＬＡＮコントローラ２６に電源部２９からの電力を供給し、外部からのアクセスに待機する状態となる。外部から番組の録画予約登録の解析を行って予約登録が可能になった場合のシステムマイコン２５は、録画の予約開始、終了時間を記録予約情報メモリ２７に記憶する。これにより、予約待機モード時のシステムへの電極供給は、予約に必要な最小限の電力供給して消費電力を抑え、予約に必要な構成部分に電力供給がされていることから、外部からの番組録画の予約のタイムラグの発生を抑えることができる。【選択図】      図２
2004193825.tif 000002
【特許請求の範囲】
【請求項１】
映像信号の録画を行う記録部と、
前記記録部を含むシステム全体に電力を供給する第１の電力供給手段と、
ネットワークを介してアクセスが行われて番組の録画予約を行う番組録画予約手段と、
前記番組録画予約手段が前記ネットワークを介して録画予約を可能とする予約待機モード時に、少なくとも予約が可能な前記第１の電力供給手段の電力量より少ない電力量を供給する第２の電力供給手段とを具備したことを特徴とする記録装置。
【請求項２】
映像信号の録画を行う記録部と、
前記記録部を含むシステム全体に電力を供給する第１の電力供給手段と、
外部サーバにネットワークを介して電子メールにより番組の録画予約を可能とする予約待機モード時に、少なくとも予約が可能な前記第１の電力供給手段の電力量より少ない電力量を供給する第２の電力供給手段とを具備したことを特徴とする記録装置。
【請求項３】
前記予約待機モード時に電力を供給する前記第２の電力供給手段は、少なくとも前記ネットワークとの情報のやり取りが可能な最小単位の構成部分にのみ供給するようにしたことを特徴する請求項１または２記載の記録装置。
【発明の詳細な説明】
【０００１】
【発明の属する技術分野】
この発明は、ＤＶＤ（Ｄｉｇｉｔａｌ  Ｖｅｒｓａｔｉｌｅ  Ｄｉｓｋ）レコーダやＶＴＲ等の録画予約機能を備えた電子機器にネットワークを通して録画予約設定を行う記録装置に関する。
【０００２】
【従来の技術】
従来の電子メールによる映像記録装置は、受信した電子メールを予約テーブルのフォーマットに変換し、予約テーブルに追加することで遠隔操作を可能としている。（例えば、特許文献１）
【０００３】
【特許文献１】
特開２００２−２７３７１号公報（第３頁、図１）
【０００４】
【発明が解決しようとする課題】
上記した特許文献１の技術は、電子メールによって予約動作する場合の電力消費を抑えるために、１日に数回、所定時刻になると電子メール予約の確認を行って、待機状態から自動的に電力を投入してサーバまで電子メールを読みに行き、新たな電子メールによる番組の録画予約要求がないかを確認している。
【０００５】
しかしながら、電子メールの確認は予め決められた一定間隔毎に行うものであるため、通常はユーザが電子メールで予約情報を送信した時刻とこの予約情報が反映されるまでにはタイムラグが生じてしまう。タイムラグを持たずに電子メールの確認を行うには、常に電源投入を行う必要があり消費電力が大きくなってしまう。
【０００６】
この発明の目的は、外部からインターネットを経由した録画予約登録を行った時間と実際に予約が設定される時間とのタイムラグによる弊害をなくするとともに、消費電力を抑えた番組の録画予約機能付き記録装置を提供することにある。
【０００７】
【課題を解決するための手段】
上記した課題を解決するために、この発明の記録装置は、映像信号の録画を行う記録部と、前記記録部を含むシステム全体に電力を供給する第１の電力供給手段と、ネットワークを介してアクセスが行われて番組の録画予約を行う番組録画予約手段と、前記番組録画予約手段が前記ネットワークを介して録画予約を可能とする予約待機モード時に、少なくとも予約が可能な前記第１の電力供給手段の電力量より少ない電力量を供給する第２の電力供給手段とを具備したことを特徴とする。
【０００８】
また、映像信号の録画を行う記録部と、前記記録部を含むシステム全体に電力を供給する第１の電力供給手段と、外部サーバにネットワークを介して電子メールにより番組の録画予約を可能とする予約待機モード時に、少なくとも予約が可能な前記第１の電力供給手段の電力量より少ない電力量を供給する第２の電力供給手段とを具備したことを特徴とする。
【０００９】
上記した各手段により、ネットワークを介して番組録画予約が登録された時間と実際に記録装置に録画予約内容が反映される時間とのタイムラグによる弊害をなくすとともに、番組を予約により録画する場合の省電力化を図ることができる。
【００１０】
【発明の実施の形態】
以下、この発明の実施の形態について、図面を参照しながら詳細に説明する。図１は、この発明をＤＶＤレコーダに適用した場合のフロントパネルの概観図である。図１において、１１はＤＶＤレコーダのフロントパネル、１２は録画ＲＥＣ、再生ＰＬＡＹ、停止ＳＴＯＰ等のＤＶＤレコーダの操作に用いるスイッチ群１２である。１３はＤＶＤレコーダの状態を案内表示する例えば蛍光表示管のような表示部であり、時刻表示やタイトル番号等を表示する。１４はＤＶＤドライブ部であり、ここから光ディスクの出し入れを行う。１５はＬＡＮ（Ｌｏｃａｌ  Ａｒｅａ  Ｎｅｔｗｏｒｋ）ケーブルとの接続を行うコネクタであり、このコネクタ１５は、ネットワークを介して外部からＤＶＤレコーダへのアクセスを可能とするためのもので、リアパネル側に配置しても構わない。１６はネットワークのアクセス状態を表示する表示器であり、例えばアクセス中は点灯する。１７は電源スイッチ、１８はモード切換スイッチであり、予約待機中における電力消費を抑えるためのものである。
【００１１】
図２は、この発明の一実施の形態について説明するためのもので、図１のＤＶＤレコーダの主要部の回路ブロックである。
図２において、アンテナ２１を介して受信された信号は、チューナ／ＡＶ回路およびデータプロセッサ２２に供給し、ここで所望の番組を受信するとともに、この受信情報をメディアに録画可能なデータに変換する。メディアに録画可能なデータは、記録メディア２３に供給しここに録画する。メインマイコン２４は、システムマイコン２５、ＬＡＮコントローラ２６およびチューナ／ＡＶ回路およびデータプロセッサ２２に接続され、それぞれの制御を行う。
【００１２】
２７は、およびチューナ／ＡＶ回路およびデータプロセッサ２２  システムマイコン２５と接続された記録予約情報メモリであり、この記録予約情報メモリ２７に録画予約情報を格納する。さらにシステムマイコン２５は、表示ドライバ／リモコン受光ユニット２８に接続され、この表示ドライバ／リモコン受光ユニット２８は、記録再生機本体に装備された、動作状況を視覚的に示すもので、たとえはＦＬ表示管や液晶表示ユニットなどを制御し、また、リモコンによる操作コマンドを受信し、接続されたシステムマイコン２５にその情報を送る。
【００１３】
ＬＡＮコネクタ１５は、ＬＡＮコントローラ２６に接続され、入力された情報をＬＡＮコントローラ２６へと送信する。また、ＬＡＮコントローラ２６から受取った情報を送信する。ＬＡＮコントローラ２６はメインマイコン２４およびＬＡＮコネクタ２０と接続され、インターネットおよびイントラネットとのデータの送受信を行う。
【００１４】
２９は、システム全体に直流電力を供給するための電源部であり、モード切換スイッチ１８のスイッチＳＷ１，ＳＷ２を制御することにより、電源の供給状態を変えて動作モードの変更を行う。
【００１５】
ここで、スタンバイモード、電源オンモード、予約待機モードの３通りの電力供給の動作モードについて説明する。
スタンバイ（電源オフ）モードは、システムマイコン２５および表示ドライバ／リモコン受光ユニット２８に電力供給され、本体の各キーやリモコンのキー操作による電源オンコマンドを待機している状態である。電源オンモードは、全ての回路に電力供給されあらゆる操作を受け付ける状態である。さらに、予約待機モードは、インターネットおよびイントラネット接続機能、および録画予約に必要な回路にのみに電源が供給される状態である。
【００１６】
上記した各モードのうち、電源オンモードと予約待機モード時の動作について図３のフローチャートとともにさらに説明する。
まず、ステップＳ１において電源オンモードであると判断された場合のシステムマイコン２５は、モード切換スイッチ１８のスイッチＳＷ１，ＳＷ２をオン（Ｓ２）し、チューナ／ＡＶ回路およびデータプロセッサ２２、メインマイコン２４、ＬＡＮコントローラ２６等システム全体に電源部２９からの電力を供給し、外部からのアクセス待機の状態とする（Ｓ３）。外部からのアクセスを検知し（Ｓ４）、その内容が予約登録であれば（Ｓ５）、ステップＳ６に進み予約情報の解析を行う。この解析で予約登録が可能になった場合（Ｓ７）のシステムマイコン２５では、番組録画の予約開始、終了時間を録画予約情報メモリ２７に記憶する（Ｓ８）。
【００１７】
次に、ステップＳ１において、予約待機モードであると判断された場合のシステムマイコン２５は、モード切換スイッチ１８のスイッチＳＷ２をオン（Ｓ９）し、メインマイコン２４とＬＡＮコントローラ２６に電源部２９からの電力を供給し、外部からのアクセスに待機する状態となり（Ｓ３）、以降ステップＳ４から終了ステップまでは電源オンモードと同処理ルーチンを辿る。
【００１８】
これにより、インターネットおよびイントラネットを介したデータのやり取りが可能となり、録画予約情報の入力や、記録予約情報メモリ２７に格納されている録画予約情報の参照などを行うことができる。また、インターネットおよびイントラネットから記録再生機をパワーオンモードにしたり、各種リモートコントロールを行うこともできる。
【００１９】
この実施の形態では、予約待機モード時に外部からアクセスを行う場合に、スイッチＳＷ２がオンになった状態であるために、アクセスと同時に録画予約情報を記録予約情報メモリ２７に登録でき、タイムラグの発生がない。また、スイッチＳＷ２はシステム全体に電力の供給を必要としないのでこの分の省電力化も図ることができる。
【００２０】
図４は、この発明の他の実施の形態について説明するためのフローチャートである。この実施の形態は、外部からシステム本体に電子メールにて番組の録画予約を行う機能を付加したものである。すなわち、図３のステップＳ３〜Ｓ５の処理ルーチンを、ステップＳ１０，Ｓ１１の処理ルーチンに変更したものであり、同じ処理ルーチンについては同符号を付してここでの説明は省略する。
【００２１】
図４のステップＳ１において、電源オンモードであると判断された場合のシステムマイコン２５は、モード切換スイッチ１８のスイッチＳＷ１，ＳＷ２をオン（Ｓ２）し、チューナ／ＡＶ回路およびデータプロセッサ２２、ＬＡＮコントローラ２６等のシステム全体に電源部２９からの電力を供給し、ＬＡＮコネクタ１５を介して外部サーバの受信電子メールの確認を行う（Ｓ１０）。番組の録画予約情報があれば（Ｓ１１）、ステップＳ６に進み番組予約情報の解析を行う。以降、ステップＳ７から終了ステップまでの処理ルーチンを辿る。
【００２２】
また、予約待機モードの場合のシステムマイコン２５は、スイッチＳＷ２をオン（Ｓ９）し、メインマイコン２４とＬＡＮコントローラ２６に電源部２９からの電力を供給し、ＬＡＮコネクタ１５を介して外部サーバに受信電子メールの確認を行い（Ｓ１０）、番組予約情報があれば（Ｓ１１）、ステップＳ６に進み番組の録画予約情報の解析を行う。以降、ステップＳ７から終了ステップまでの処理ルーチンを辿る。
【００２３】
この実施の形態では、予約待機モード時のシステムへの電極供給は、電子メール予約に必要な最小限の電力供給して消費電力を抑え、予約に必要な構成部分に電力供給がされていることから、随時受信メールの確認を行うことができ、外部からの番組予約のタイムラグの発生を抑えることができる。
【００２４】
この発明は、上記した実施の形態に限定されるものではなく、例えば、ＬＡＮコントローラ２６をメインマイコン２４で制御して録画予約を行わずに、ＬＡＮコントローラ２６をシステムマイコン２５で制御するような構成も考えられ、この場合はメインマイコン２４に電源を供給する必要はなくなる。
【００２５】
【発明の効果】
以上説明したように、この発明の記録装置によれば、ネットワークを介して番組録画の予約時間と実際に予約が設定される時間とのタイムラグによる弊害をなくすとともに、番組を予約により録画する場合の省電力化を図ることが可能となる。
【図面の簡単な説明】
【図１】この発明がＤＶＤレコーダに適用された状態のフロントパネルの概観図。
【図２】この発明の一実施の形態について説明するための回路構成図。
【図３】この発明の動作について説明するためのフローチャート。
【図４】この発明の他の実施の形態について説明するためのフローチャート。
【符号の説明】
１５…ＬＡＮコネクタ
１８…モード切換スイッチ
２２…チューナ／ＡＶ回路およびデータプロセッサ
２３…記録メディア
２４…メインマイコン
２５…システムマイコン
２６…ＬＡＮコントローラ
２７…記録予約情報メモリ
２８…表示ドライバ／リモコン受光ユニット
２９…電源部
【図１】
2004193825.tif 000003
【図２】
2004193825.tif 000004
【図３】
2004193825.tif 000005
【図４】
2004193825.tif 000006